(57)【要約】光ディスク（１０）のマルチトラックからデータを読み取り、それぞれのデータストリームにて各トラックからのデータを出力するマルチトラック光ピックアップ（１１）と、データストリームを一時的に記憶する複数の先入れ先出し（ＦＩＦＯ）メモリ（２１）とを有するマルチトラック光ディスク読取装置（１）が開示されている。本発明によれば、ピックアップが読み取ることのできる最大数トラックより少ないトラックからデータストリームを選択的に出力できる、共用メモリバンクには複数のＦＵＦＯメモリが設けられ、ピックアップにより最大数未満のトラックが読み取られているとき、用いられる少なくとも１つのＦＩＦＯメモリのサイズは、ピックアップにより読み取ることのできるトラックの最大数で分割される共用メモリバンクにおけるトータルの利用可能なＦＩＦＯメモリよりも大きくされる。
2005523543.tif 000002
【特許請求の範囲】
【請求項１】
光ディスクの複数のトラックからデータを読み取り各トラックからのデータをそれぞれのデータストリームにて出力するマルチトラック光ピックアップと、前記それぞれのデータストリームからのデータを一時的に記憶する先入れ先出し型（ＦＩＦＯ）バッファが動的に規定されることの可能なメモリバンクとを有する、マルチトラック光ディスク読取装置。
【請求項２】
請求項１に記載のディスク読取装置であって、前記ピックアップにより読み取られることの可能なトラックの最大数より少ないトラックを用いることができる、ディスク読取装置。
【請求項３】
請求項２に記載のディスク読取装置であって、前記ピックアップにより読み取られることのできるトラックの最大数より少ないトラックが用いられているとき、前記ＦＩＦＯバッファの少なくとも１つは、前記ピックアップにより読み取られることの可能なトラックの最大数で分割されるメモリバンクに規定されることのできるＦＩＦＯメモリ全体よりも大なるサイズを有するよう規定される、ディスク読取装置。
【請求項４】
請求項２又は３に記載のディスク読取装置であって、前記ピックアップにより読み取られることのできるトラックの最大数より少ないトラックが用いられているとき、用いられるトラックのデータストリームのＦＩＦＯバッファのみが規定される、ディスク読取装置。
【請求項５】
請求項４に記載のディスク読取装置であって、規定されるＦＩＦＯバッファの各々は、用いられているトラックの数で分割されるメモリバンクにおいて規定可能なＦＩＦＯメモリ全体に等しいサイズを有する、ディスク読取装置。
【発明の詳細な説明】
【技術分野】
【０００１】
本発明は、光ディスクのマルチトラックからデータを読み取り、各トラックからのデータをそれぞれのデータストリームにて出力するマルチトラック光ピックアップと、当該それぞれのデータストリームからのデータを一時的に記憶する先入れ先出し（ＦＩＦＯ）バッファとを有するマルチトラック光ディスク読取装置に関する。
【背景技術】
【０００２】
図１は、光ディスク１０の隣接する５つのトラックからデータを読み取り各トラックから読み取られたデータを５つのデータストリームで出力するマルチトラック光ピックアップ１１を有する従来の光ディスク読取装置１を概略的に示している。各データストリームは集積回路１２に供給され、ここでデータストリームは合成され、合成されたデータは復号される。詳しくは、各データストリームはフロントエンド（ＦＥ）処理回路１３に供給され、ここでビットデータが復元され復調され、このデータはその後にＦＩＦＯバッファ１４に一時的に記憶される。ＦＩＦＯバッファから、マルチプレクサ１７を用いてデータストリームが合成され、この合成データは、チップ外に配置された高速アクセスＳＤＲＡＭメモリ１８に記憶される。当該集積回路に位置付けられた復号回路１７は、ＳＤＲＡＭメモリ１８に記憶された合成データを検索し復号し、その復号したデータを例えばビデオ又はオーディオストリームとして出力２０へ送る。ＦＥ処理回路、ＦＩＦＯバッファ、マルチプレクサ及びデコーダは、マイクロコントローラ（μＣ）１６により全て制御され、このコントローラもチップ外中央処理器（ＣＰＵ）１９によって制御される。
【発明の開示】
【発明が解決しようとする課題】
【０００３】
ＦＩＦＯバッファにおけるデータストリームの一時的な記憶によって、高速アクセスＳＤＲＡＭメモリに効率的に書き込もうとする場合に必要となるバーストにてＦＩＦＯバッファからＳＤＲＡＭメモリにデータを書き込むことが可能となる。残念なことに、ハードウェアに組み込まれているＦＩＦＯバッファは、これらを含む集積回路のゲート数を相当に増大させるので、小規模ＦＩＦＯ（すなわち少ないゲート数）の使用と高速メモリアクセスの達成との間にトレードオフがある。
【課題を解決するための手段】
【０００４】
本発明によれば、上述したタイプのマルチトラック光ディスク読取装置にＦＩＦＯバッファが動的に規定可能なメモリバンクが設けられる。
【０００５】
ディスク読取装置が用いることができ、通常のように当該ピックアップにより読み取ることのできる最大数未満のトラックを用いている場合、本発明は、ＦＩＦＯバッファの少なくとも１つが他のケースにおけるよりも大きなサイズを持つように規定することを可能にする。すなわち、ピックアップにより読み取ることのできるトラックの最大数で分割されるメモリバンクにおいて規定することの可能なＦＩＦＯメモリ全体よりも大きい。与えられた量のＦＩＦＯメモリ（及び関連するゲート数）に対し、より大きなＦＩＦＯが用いられ、これにより、より大きなバーストのデータを高速アクセスメモリに後続して書き込むことができ、もってその効率が増大することになる。
【０００６】
また、用いられるそれらトラックのデータストリームのＦＩＦＯバッファだけが規定されることを要し、そのような場合、ＦＩＦＯバッファの各々が用いられているトラック数で分割されるＦＩＦＯメモリ全体と等しいサイズを持つよう規定されることが可能となる。すなわち、利用可能なＦＩＦＯメモリは、用いられるトラックの間で等しく共用される。
【発明を実施するための最良の形態】
【０００７】
以下、添付図面を参照して例示として本発明を説明する。
【０００８】
同一の参照符号は、図１の従来のマルチトラック光ディスク読取装置と図２の本発明によるマルチトラック光ディスク読取装置との双方における同等又は同様の事項を参照するのに用いられる。
【０００９】
図２を参照すると、光ディスク読取装置１が示されており、これは、ディスク読取装置が当該ピックアップによって読み取り可能な最大数のトラックよりも少ないトラックを用いることができる点を除き、図１のマルチトラック光ディスク読取装置の全ての特徴を有する。また、本発明によれば、ＦＩＦＯバッファは、共用メモリバンク２１において動的に規定することができる。
【００１０】
図示することを目的として、５トラック光ピックアップの内側、外側及び中間トラックだけが用いられ、したがってこれらトラックからのデータだけが集積回路１２へストリーム化され、そのデータストリームが合成され、合成されたデータが復号されることを前提とする。５トラックのうちの２出力は用いられていないので、同等サイズの３つのＦＩＦＯバッファは５つ全てのトラックが用いられた場合の３分の２のサイズのメモリバンク２１に規定されることが可能である。したがって、ＦＩＦＯバッファから高速アクセスＳＤＲＡＭメモリ１８（チップ外に位置付けられる）へデータを伝送する後続のデータバーストは３分の２大きくなることができ、これによりこの伝送の効率が上がり、当該伝送がマイクロコントローラ（μＣ）１６の制御の下に置かれてＣＰＵ１９の負担が軽減される。
【００１１】
この増大したＦＩＦＯサイズは、図３に示されており、内側、外側及び中間のトラック（トラック１，３及び５）しか用いられていない場合の図２の本発明のディスク読取装置のものに対して５トラック全て（１ないし５に付番されている）が用いられている場合の図１の従来のディスク読取装置に記憶される利用可能なＦＩＦＯバッファ処理化データがマップ化されている。
【００１２】
従来のマルチトラック光ディスク読取装置の上述した例及び本発明によるものにおいては、高速アクセスＳＤＲＡＭメモリはチップ外に配されているが、勿論、別のタイプのメモリとしたり、ＦＥ回路、ＦＩＦＯバッファ、マルチプレクサ及びデコーダとともに集積回路に集積（一体化）したりすることも可能である。
【００１３】
この開示内容を読むことにより、当業者には他の改変例が明らかとなる。かかる改変例は、マルチトラック光ディスクドライブ及びその構成部の構成及び使用において既に知られ、またここで既に述べた特徴に代え又は加えて用いることの可能な他の特徴を含みうるし、また米国特許第５７９３５４９号、第５９０７５２６号、第５９５９９５３号、第６０２８８７２７号及び第６２１６２０１号に記載の特徴を少なくとも含ませてもよいものである。
【図面の簡単な説明】
【００１４】
【図１】上述したような従来のマルチトラック光ディスク読取装置を概略的に示す図。
【図２】本発明によるマルチトラック光ディスク読取装置を概略的に示す図。
【図３】図２の本発明のディスク読取装置のものと比較した図１の従来のディスク読取装置において記憶されるバッファ処理化データのマッピングを示す図。
【図１】
2005523543.tif 000003
【図２】
2005523543.tif 000004
【図３】
2005523543.tif 000005
【国際調査報告】
2005523543.tif 000006
2005523543.tif 000007
2005523543.tif 000008